(57)【特許請求の範囲】
【請求項１】
現在のＷｉＦｉネットワークのセキュリティーレベルを確定し、予め記憶された、ネットワークとセキュリティーレベルの対応関係において、前記現在のＷｉＦｉネットワークの対応するセキュリティーレベルを検索し、前記現在のＷｉＦｉネットワークの対応するセキュリティーレベルが検索できなかった場合、現在のセキュリティーレベル入力ボックスを表示し、ユーザにより入力された命令に応じて、前記現在のＷｉＦｉネットワークを現在のセキュリティーレベルと関連付けて記憶し、前記ユーザにより入力された命令は、前記現在のセキュリティーレベルを保有するステップと、
前記セキュリティーレベルに対応する色に従って、ＷｉＦｉ信号アイコンを標識するステップと、
標識された前記ＷｉＦｉ信号アイコンを展示するステップとを含むことを特徴とする、
移動端末でのＷｉＦｉ信号アイコンの展示方法。
【請求項２】
前記現在のＷｉＦｉネットワークよりもセキュリティーレベルの高いＷｉＦｉネットワ
ークが存在するかを監視し、
前記現在のＷｉＦｉネットワークよりもセキュリティーレベルの高いＷｉＦｉネットワ
ークが存在する場合、移動端末を制御して現在のセキュリティーレベルの最も高いＷｉＦ
ｉネットワークに接続することをさらに含むことを特徴とする、請求項１に記載の展示方
法。
【請求項３】
前記現在のＷｉＦｉネットワークよりもセキュリティーレベルの高いＷｉＦｉネットワ
ークが複数存在することを監視した場合、前記方法は、さらに、
セキュリティーレベルの高い順に、前記現在のＷｉＦｉネットワークよりもセキュリテ
ィーレベルの高い複数のセキュリティーレベルを配列することと、
ユーザにより選択された命令に応じて、移動端末を制御して目標ＷｉＦｉネットワーク
に接続し、前記ユーザにより選択された命令は、前記目標ＷｉＦｉネットワークの標識を
保有することを含むことを特徴とする、請求項２に記載の展示方法。
【請求項４】
前記移動端末を制御して現在のセキュリティーレベルの最も高いＷｉＦｉネットワーク
に接続する前に、前記方法は、さらに、
前記現在のセキュリティーレベルの最も高いＷｉＦｉネットワークに接続するかを提示
する提示情報を表示することを含むことを特徴とする、請求項２に記載の展示方法。
【請求項５】
現在のＷｉＦｉネットワークのセキュリティーレベルを確定するように構成される確定
モジュールと、
前記セキュリティーレベルに対応する色に従って、ＷｉＦｉ信号アイコンを標識するよ
うに構成される標識モジュールと、
標識された前記ＷｉＦｉ信号アイコンを展示するように構成される展示モジュールとを
備え、
前記確定モジュールは、
予め記憶された、ネットワークとセキュリティーレベルの対応関係において、前記現在
のＷｉＦｉネットの対応するセキュリティーレベルを検索するように構成される検索サブ
モジュールと、
前記現在のＷｉＦｉネットの対応するセキュリティーレベルが検索できなかった場合、
現在のセキュリティーレベル入力ボックスを表示するように構成される第１の表示モジュ
ールと、
ユーザにより入力された命令に応じて、前記現在のＷｉＦｉネットワークを現在のセキ
ュリティーレベルと関連付けて記憶するが、前記ユーザにより入力された命令は、前記現
在のセキュリティーレベルを保有するように構成される記憶モジュールとを備えることを特徴とする、移動端末でのＷｉＦｉ信号アイコンの展示装置。
【請求項６】
前記現在のＷｉＦｉネットワークよりもセキュリティーレベルの高いＷｉＦｉネットワ
ークが存在するかを監視するように構成される監視モジュールと、
前記現在のＷｉＦｉネットワークよりもセキュリティーレベルの高いＷｉＦｉネットワ
ークが存在する場合、移動端末を制御して現在のセキュリティーレベルの最も高いＷｉＦ
ｉネットワークに接続するように構成される第１の制御モジュールとをさらに備えること
を特徴とする、請求項５に記載の展示装置。
【請求項７】
前記現在のＷｉＦｉネットワークよりもセキュリティーレベルの高いＷｉＦｉネットワ
ークが複数存在することを監視した場合、セキュリティーレベルの高い順に、前記現在の
ＷｉＦｉネットワークよりもセキュリティーレベルの高い複数のＷｉＦｉネットワークを
配列するように構成される配列モジュールと、
ユーザにより選択された命令に応じて、移動端末を制御して目標ＷｉＦｉネットワーク
に接続するが、前記ユーザにより選択された命令は、前記目標ＷｉＦｉネットワークの標
識を保有するように構成される第２の制御モジュールとをさらに備えることを特徴とする
、請求項６に記載の展示装置。
【請求項８】
前記第１の制御モジュールが移動端末を制御して現在のセキュリティーレベルの最も高
いＷｉＦｉネットワークに接続する前に、前記現在のセキュリティーレベルの最も高いＷ
ｉＦｉネットワークに接続するかを提示する提示情報を表示するように構成される第２の
表示モジュールをさらに備えることを特徴とする、請求項６に記載の展示装置。
【請求項９】
請求項５〜８のいずれか１項に記載の移動端末でのＷｉＦｉ信号アイコンの展示装置
を含むことを特徴とする、移動端末。
【請求項１０】
プロセッサと、
プロセッサにより実行可能な命令を記憶するためのメモリと、を備える移動端末であっ
て、
前記プロセッサは、
現在のＷｉＦｉネットワークのセキュリティーレベルを確定し、予め記憶された、ネットワークとセキュリティーレベルの対応関係において、前記現在のＷｉＦｉネットワークの対応するセキュリティーレベルを検索し、前記現在のＷｉＦｉネットワークの対応するセキュリティーレベルが検索できなかった場合、現在のセキュリティーレベル入力ボックスを表示し、ユーザにより入力された命令に応じて、前記現在のＷｉＦｉネットワークを現在のセキュリティーレベルと関連付けて記憶し、前記ユーザにより入力された命令は、前記現在のセキュリティーレベルを保有し、
前記セキュリティーレベルに対応する色に従って、ＷｉＦｉ信号アイコンを標識し、
標識された前記ＷｉＦｉ信号アイコンを展示するように構成されることを特徴とする、
移動端末。
【請求項１１】
プロセッサに実行されることにより、請求項１〜４のうちいずれか１項に記載の展示方
法を実現する、プログラム。
【請求項１２】
請求項１１に記載のプログラムが記録されたコンピュータ読取可能な記録媒体。
【発明の詳細な説明】
【技術分野】
【０００１】
本願は、出願番号が２０１６１０５０９４３１．Ｘであり、出願日が２０１６年０６月３０日である中国特許出願に基づき優先権を主張し、前記中国特許出願の内容の全てを本願に援用する。
【０００２】
本発明は、移動通信技術分野に関し、特に、移動端末でのＷｉＦｉ信号アイコンの展示方法、装置、移動端末、プログラム、及び記録媒体に関する。
【背景技術】
【０００３】
通信技術の急速な発展に伴い、携帯電話などの移動端末の機能は、ますます多くなってきている。携帯電話により、通話やメッセージングに加えて、支払いや個人のプライバシー情報の記憶等を行うことができる。従って、携帯電話は人々の日常生活に不可欠な一部となってきている。
【０００４】
現在、いずれの移動端末においてもＷｉＦｉ（Ｗｉｒｅｌｅｓｓ  Ｆｉｄｅｌｉｔｙ、ワイファイ）接続機能を備え、移動端末がＷｉＦｉホットスポットに接続された後、当該移動端末がＷｉＦｉネットワークに接続されていることを示すためのＷｉＦｉ信号アイコンは、移動端末のスクリーンの上端に表示されることになる。ユーザは、自宅、オフィスまたは公共の場のいずれかの場所にＷｉＦｉに接続しても、一般的に同一のアイコンを利用する。ユーザは、現在接続されているＷｉＦｉのセキュリティーレベルを認識できなく、ＷｉＦｉのセキュリティーの問題を無視しがちである。移動端末が接続されているＷｉＦｉネットワークは安全でなければ、移動端末に記憶されたプライバシー情報は、漏れやすくなる。
【発明の概要】
【発明が解決しようとする課題】
【０００５】
本発明は、従来技術に存在する問題を克服するために、移動端末でのＷｉＦｉ信号アイコンの展示方法、装置、移動端末、プログラム、及び記録媒体を提供する。前記技術案は以下の通りである。
【課題を解決するための手段】
【０００６】
本発明実施例の第１の態様によれば、移動端末でのＷｉＦｉ信号アイコンの展示方法が提供され、前記展示方法は、
現在のＷｉＦｉネットワークのセキュリティーレベルを確定することと、
前記セキュリティーレベルに対応する色に従って、ＷｉＦｉ信号アイコンを標識することと、
標識された前記ＷｉＦｉ信号アイコンを展示することとを含む。
【０００７】
上述したような方法において、前記現在のＷｉＦｉネットワークのセキュリティーレベルを確定することは、
予め記憶された、ネットワークとセキュリティーレベルの対応関係において、前記現在のＷｉＦｉネットワークの対応するセキュリティーレベルを検索することを含む。
【０００８】
上述したような方法において、前記現在のＷｉＦｉネットワークの対応するセキュリティーレベルを検索した後、さらに、
前記現在のＷｉＦｉネットワークの対応するセキュリティーレベルがユーザにより検索できなかった場合、現在のセキュリティーレベル入力ボックスを表示することと、
ユーザにより入力された命令に応じて、前記現在のＷｉＦｉネットワークを現在のセキュリティーレベルと関連付けて記憶し、前記ユーザに入力された命令に前記現在のセキュリティーレベルを保有することとを含む。
【０００９】
上述したような方法において、さらに、
前記現在のＷｉＦｉネットワークよりもセキュリティーレベルの高いＷｉＦｉネットワークが存在するかを監視することと、
前記現在のＷｉＦｉネットワークよりもセキュリティーレベルの高いＷｉＦｉネットワークが存在する場合、移動端末を制御して現在のセキュリティーレベルの最も高いＷｉＦｉネットワークに接続することとを含む。
【００１０】
上述した方法において、前記現在のＷｉＦｉネットワークよりもセキュリティーレベルの高いＷｉＦｉネットワークが複数存在することを監視した場合、さらに、
セキュリティーレベルの高い順に、前記現在のＷｉＦｉネットワークよりもセキュリティーレベルの高い複数のセキュリティーレベルを配列することと、
ユーザにより選択された命令に応じて、移動端末を制御して目標ＷｉＦｉネットワークに接続し、前記ユーザにより選択された命令は、前記目標ＷｉＦｉネットワークの標識を保有することとを含む。
【００１１】
上述したような方法において、前記移動端末を制御して現在のセキュリティーレベルの最も高いＷｉＦｉネットワークに接続する前に、さらに、
前記現在のセキュリティーレベルの最も高いＷｉＦｉネットワークに接続するかを提示する提示情報を表示することを含む。
【００１２】
本発明実施例の第２の態様によれば、移動端末でのＷｉＦｉ信号アイコンの展示装置が提供され、前記装置は、
現在のＷｉＦｉネットワークのセキュリティーレベルを確定するように構成される確定モジュールと、
前記セキュリティーレベルに対応する色に従って、ＷｉＦｉ信号アイコンを標識するように構成される標識モジュールと、
標識された前記ＷｉＦｉ信号アイコンを展示するように構成される展示モジュールとを備える。
【００１３】
上述したような装置において、さらに、
予め記憶された、ネットワークとセキュリティーレベルの対応関係において、前記現在のＷｉＦｉネットの対応するセキュリティーレベルを検索するように構成される検索サブモジュールを備える。
【００１４】
上述したような装置において、さらに
前記現在のＷｉＦｉネットの対応するセキュリティーレベルが検索できなかった場合、現在のセキュリティーレベル入力ボックスを表示するように構成される第１の表示モジュールと、
ユーザにより入力された命令に応じて、前記現在のＷｉＦｉネットワークを現在のセキュリティーレベルと関連付けて記憶し、前記ユーザにより入力された命令は、前記現在のセキュリティーレベルを保有するように構成される記憶モジュールとを備える。
【００１５】
上述したような装置において、さらに、
前記現在のＷｉＦｉネットワークよりもセキュリティーレベルの高いＷｉＦｉネットワークが存在するかを監視するように構成される監視モジュールと、
前記現在のＷｉＦｉネットワークよりもセキュリティーレベルの高いＷｉＦｉネットワークが存在する場合、移動端末を制御して現在のセキュリティーレベルの最も高いＷｉＦｉネットワークに接続するように構成される第１の制御モジュールとを備える。
【００１６】
上述したような装置において、さらに、
前記現在のＷｉＦｉネットワークよりもセキュリティーレベルの高いＷｉＦｉネットワークが複数存在することを監視した場合、セキュリティーレベルの高い順に、前記現在のＷｉＦｉネットワークよりもセキュリティーレベルの高い複数のＷｉＦｉネットワークを配列するように構成される配列モジュールと、
ユーザにより選択された命令に応じて、移動端末を制御して目標ＷｉＦｉネットワークに接続するが、前記ユーザにより選択された命令は、前記目標ＷｉＦｉネットワークの標識を保有するように構成される第２の制御モジュールとを備える。
【００１７】
上述したような装置において、さらに、
前記第１の制御モジュールが移動端末を制御して現在のセキュリティーレベルの最も高いＷｉＦｉネットワークに接続する前に、前記現在のセキュリティーレベルの最も高いＷｉＦｉネットワークに接続するかを提示する提示情報を表示するように構成される第２の表示モジュールを備える。
【００１８】
本発明実施例の第３の態様によれば、移動端末が提供され、前記移動端末は、第２の態様の実施例に係る移動端末でのＷｉＦｉ信号アイコンの展示装置を備える。
【００１９】
本発明実施例の第４の態様によれば、移動端末が提供され、前記移動端末は、
プロセッサと、
プロセッサにより実行可能な命令を記憶するための、メモリと、を備える。
【００２０】
前記プロセッサは、
現在のＷｉＦｉネットワークのセキュリティーレベルを確定し、
前記セキュリティーレベルに対応する色に従って、ＷｉＦｉ信号アイコンを標識し、
標識された前記ＷｉＦｉ信号アイコンを展示するように構成される。
本発明の第５の態様によれば、プロセッサーに実行されることにより、上記方法を実現するプログラムを提供する。
本発明の第６の態様によれば、上記プログラムが記録されたコンピュータ読取可能な記録媒体を提供する。
【発明の効果】
【００２１】
本発明実施例により提供された技術案は、下記の有益な効果を奏することができる。
【００２２】
移動端末を目標ＷｉＦｉネットワークに接続する際に、現在のＷｉＦｉネットワークのセキュリティーレベルを確定し、セキュリティーレベルに対応する色でＷｉＦｉ信号アイコンを標識し、標識されたＷｉＦｉ信号アイコンを展示する。これにより、ＷｉＦｉネットワークのセキュリティーレベルによって、対応する色のＷｉＦｉ信号アイコンを表示し、ユーザがＷｉＦｉネットワークアイコンの色により、現在接続されているネットワークのセキュリティーレベルを知ることを便利にし、さらに、移動端末でのプライバシー情報の洩れを避けるように、ユーザがネットワークのセキュリティーレベルによって移動端末に対して関連する操作を行うことを便利にすることが可能となる。
【００２３】
なお、前記一般的な記載及び後述の詳細な記載は、単なる例示的で解釈的な記載であり、本発明を限定しない。
【図面の簡単な説明】
【００２４】
以下の図面は、明細書に組み入れて本明細書の一部を構成し、本発明に該当する実施例を例示するとともに、明細書とともに本発明の原理を解釈する。
【００２５】
【図１】例示的な一実施例に係る移動端末でのＷｉＦｉ信号アイコンの展示方法を示すフローチャートである。
【図２】例示的な他の実施例に係る移動端末でのＷｉＦｉ信号アイコンの展示方法を示すフローチャートである。
【図３】例示的な他の実施例に係る移動端末でのＷｉＦｉ信号アイコンの展示方法を示すフローチャートである。
【図４】例示的な他の実施例に係る移動端末でのＷｉＦｉ信号アイコンの展示方法を示すフローチャートである。
【図５】例示的な一実施例に係る移動端末でのＷｉＦｉ信号アイコンの展示装置を示すブロック図である。
【図６】例示的な他の実施例に係る移動端末でのＷｉＦｉ信号アイコンの展示装置を示すブロック図である。
【図７】例示的な他の実施例に係る移動端末でのＷｉＦｉ信号アイコンの展示装置を示すブロック図である。
【図８】例示的な他の実施例に係る移動端末でのＷｉＦｉ信号アイコンの展示装置を示すブロック図である。
【図９】例示的な他の実施例に係る移動端末でのＷｉＦｉ信号アイコンの展示装置を示すブロック図である。
【図１０】例示的な他の実施例に係る移動端末でのＷｉＦｉ信号アイコンの展示装置を示すブロック図である。
【図１１】例示的な一実施例に係る移動端末でのＷｉＦｉ信号アイコンの展示装置１１００を示すブロック図である。
【００２６】
上述の図面により、本発明の実施例を明確的に示した。以下、より詳しく説明する。これらの図面及び説明は、本発明の思想の範囲を何等限定するものではなく、特定の実施例を参考することにより当業者に本発明の概念を説明するためのものである。
【発明を実施するための形態】
【００２７】
以下、例示的な実施例を詳しく説明し、その例示を図面に示す。以下の記載が図面に関わる場合、特に他の説明がない限り、異なる図面における同一符号は、同じ又は類似する要素を示す。以下の例示的な実施形態に記載の実施例は、本発明と一致する全ての実施例を代表するものではない。それらは、特許請求の範囲に記載の本発明のある側面に一致する装置及び方法の例に過ぎない。
図１は例示的な一実施例に係る移動端末でのＷｉＦｉ信号アイコンの展示方法を示すフローチャートであり、当該実施例に係る移動端末でのＷｉＦｉ信号アイコンの展示方法は、図１に示すように、例えば携帯電話、タブレット、パーソナル・デジタル・アシスタント、電子ブックなど、各種の操作システムを有するハードウェアデバイスといった移動端末に好適に用いられる。当該移動端末でのＷｉＦｉ信号アイコンの展示方法は、以下の通り幾つかのステップを含む。
【００２８】
ステップ１０１において、現在のＷｉＦｉネットワークのセキュリティーレベルを確定する。
【００２９】
移動端末によりＷｉＦｉネットワークへ接続する過程で、移動端末は、現在のＷｉＦｉネットワークに接続される前に、スキャン方式により周囲の接続可能なＷｉＦｉネットワークを取得し、セキュリティーレベルがユーザにより予め設定されたＷｉＦｉネットワークを配列し、セキュリティーレベルがユーザにより設定されてなかったＷｉＦｉネットワークに対して、例えばアルファベット順などの従来のＷｉＦｉネットワークの配列方により配列することができる。
【００３０】
なお、セキュリティーレベルがユーザにより設定されてなかったＷｉＦｉネットワークに対して、移動端末は、対応するＷｉＦｉネットワークを予め設定されたセキュリティーレベルとし、予め設定されたセキュリティーレベルに対応する色は白色であり、すなわち、セキュリティーレベルがユーザにより設定されてなかったＷｉＦｉネットワークが使用するＷｉＦｉ信号アイコンの色のいずれも白色である。
【００３１】
ここで、ＷｉＦｉネットワークのセキュリティーレベルは、移動端末でデフォルト設定されたものであってもよく、ユーザ本人が必要に応じて設定したものであってもよく、例えば、セキュリティーレベルは、「かなり安全」、「安全」、「普通」などに設定されてもよく、または、セキュリティーレベル１、セキュリティーレベル２、セキュリティーレベル３、セキュリティーレベル４などに設定されてもよく、具体的にはアプリケーションシーンに応じて設定されてもよく、本発明はこれに対して限定しない。
【００３２】
移動端末は、現在のＷｉＦｉネットワークに接続された後、予め記憶された、ネットワークとセキュリティーレベルの対応関係において、現在のＷｉＦｉネットワークの対応するセキュリティーレベルを検索することができる。
【００３３】
なお、予め記憶された、ネットワークとセキュリティーレベルの対応関係は、ユーザが使用するＷｉＦｉネットワークに対して設定したセキュリティーレベルによって生成されたものである。
【００３４】
例えば、ユーザは、スマートフォンを使用するにあたって、自宅のＷｉＦｉネットワークのネットワーク名称がＡであると仮定し、自宅でＷｉＦｉネットワークを利用するにあたって、自宅のＷｉＦｉネットワークのセキュリティーレベルを「かなり安全」に設定すれば、スマートフォンは、自宅のＷｉＦｉネットワークのネットワーク名称とその対応するセキュリティーレベルとを、ネットワークとセキュリティーレベルの対応関係として記憶する。
【００３５】
または、ユーザは、友人宅を訪ね、その友人宅でのＷｉＦｉネットワークを利用するにあたって、そのＷｉＦｉネットワークのセキュリティーレベルを「安全」に設定することができ、スマートフォンは、ユーザによる設定により、対応するネットワーク名称とその対応するセキュリティーレベルとを、ネットワークとセキュリティーレベルの対応関係として記憶する。
【００３６】
または、ユーザは、公共の場でＷｉＦｉネットワークに接続するにあって、スマートフォンが接続した公共の場でのＷｉＦｉネットワークのセキュリティーレベルを「普通」に設定することができ、スマートフォンは、ユーザによる設定により、対応するネットワーク名称とその対応するセキュリティーレベルとをネットワークとセキュリティーレベルの対応関係として記憶する。
【００３７】
または、本発明の実施例において、現在のＷｉＦｉネットワークの対応するセキュリティーレベルを検索した後、予め記憶されたネットワークとセキュリティーレベルの対応関係において現在のＷｉＦｉネットワークの対応するセキュリティーレベルが検索できなかった場合、現在のセキュリティーレベル入力ボックスを表示し、さらに、ユーザにより入力された命令に応じて、現在のＷｉＦｉネットワークを現在のセキュリティーレベルと関連付けて記憶し、前記ユーザにより入力された命令は、現在のセキュリティーレベルを保有する。
【００３８】
ステップ１０２において、セキュリティーレベルに対応する色に従って、ＷｉＦｉ信号アイコンを標識する。
【００３９】
移動端末での現在のＷｉＦｉネットワークのセキュリティーレベルを確定した後、移動端末に記憶された、セキュリティーレベルと色の対応関係によって対応のセキュリティーレベルの対応する色を確定し、さらに、セキュリティーレベルに対応する色でＷｉＦｉ信号アイコンを標識することができる。
【００４０】
なお、セキュリティーレベルと色の対応関係は、移動端末でデフォルト設定されたものであってもよく、ユーザにより必要に応じて設定されてもよく、すなわち、ユーザは、移動端末を使用する時、必要に応じてセキュリティーレベルと色の対応関係を自由的に設定することができる。
【００４１】
ステップ１０３において、標識されたＷｉＦｉ信号アイコンを展示する。
【００４２】
例えば、移動端末での現在のＷｉＦｉネットワークのセキュリティーレベルが普通であること、及び当該セキュリティーレベルの対応する色が黄色であることが確定された場合、移動端末の最上端に表示されたＷｉＦｉ信号アイコンの色は黄色であり、ユーザは、ＷｉＦｉ信号アイコンの色によって、移動端末が接続しているＷｉＦｉネットワークのセキュリティーレベルが「普通」であることを確定し得る。この際、ユーザは、ＷｉＦｉ信号アイコンの色によって、移動端末が現在接続しているＷｉＦｉネットワークのセキュリティーレベルを知ることができ、移動端末でのプライバシー情報の洩れを避けるように移動端末のセキュリティーレベルによって移動端末に対して関連する操作を行うことができる。例えば、ユーザは、アカウント及びパスワードを入力して支払いを行う過程で、アカウント及びパスワードの洩れを避けるために、先にＷｉＦｉネットワークを切断し、データ通信で支払いを行うことができ、これにより、自分のアカウントの安全を確保する。
【００４３】
上述したように、本実施例により提供された移動端末でのＷｉＦｉ信号アイコンの展示方法は、現在のＷｉＦｉネットワークのセキュリティーレベルを確定し、セキュリティーレベルに対応する色を用いてＷｉＦｉ信号アイコンを標識し、標識されたＷｉＦｉ信号アイコンを展示するものである。これにより、ＷｉＦｉのセキュリティーレベルによって対応する色のＷｉＦｉ信号アイコンを表示し、ユーザがＷｉＦｉネットワークアイコンの色によって現在接続されているネートワークのセキュリティーレベルを知ることを便利にし、さらに、ユーザがネットワークのセキュリティーレベルによって移動端末に対して関連する操作を行うことを便利にすることができ、これにより、移動端末でのプライバシー情報の洩れを避ける。
【００４４】
図２は、例示的な他の実施例に係る移動端末でのＷｉＦｉ信号アイコンの展示方法を示すフローチャートであり、図２に示すように、当該実施例に係る移動端末でのＷｉＦｉ信号アイコンの展示方法は、例えば携帯電話、タブレット、パーソナル・デジタル・アシスタント、電子ブックなど、各種の操作システムを有するハードウェアデバイスといった移動端末に好適に用いられる。当該移動端末でのＷｉＦｉ信号アイコンの展示方法は、下記の通り幾つかのステップを含む。
【００４５】
ステップ２０１において、現在ＷｉＦｉネットワークのセキュリティーレベルを確定する。
【００４６】
移動端末によりＷｉＦｉネットワークへ接続する過程で、移動端末は、現在のＷｉＦｉネットワークに接続される前に、スキャン方式により周囲の接続可能なＷｉＦｉネットワークを取得し、セキュリティーレベルがユーザにより予め設定されたＷｉＦｉネットワークを配列し、セキュリティーレベルがユーザにより設定されてなかったＷｉＦｉネットワークに対して、例えばアルファベット順などの従来のＷｉＦｉネットワークの配列方により配列することができる。
【００４７】
なお、移動端末は、セキュリティーレベルがユーザにより設定されてなかったＷｉＦｉネットワークに対して、その対応するＷｉＦｉネットワークを予め設定されたセキュリティーレベルとし、予め設定されたセキュリティーレベルに対応する色は白色であり、すなわち、セキュリティーレベルがユーザにより設定されてなかったＷｉＦｉネットワークが使用するＷｉＦｉ信号アイコンの色のいずれも白色である。
【００４８】
ここで、ＷｉＦｉネットワークのセキュリティーレベルは、移動端末でデフォルト設定されたものであってもよく、ユーザ本人が必要に応じて設定したものであってもよく、例えばセキュリティーレベルとして、「かなり安全」、「安全」、「普通」などのように設定されてもよく、または、セキュリティーレベル１、セキュリティーレベル２、セキュリティーレベル３、セキュリティーレベル４などのように設定されてもよく、具体的にはアプリケーションシーンに応じて設定されてもよく、これに対して限定しない。
【００４９】
移動端末は、現在のＷｉＦｉネットワークに接続された後、予め記憶された、ネットワークとセキュリティーレベルの対応関係において、現在のＷｉＦｉネットワークの対応するセキュリティーレベルを検索することができる。
【００５０】
なお、予め記憶された、ネットワークとセキュリティーレベルの対応関係は、ユーザが使用するＷｉＦｉネットワークに対して設定したセキュリティーレベルによって生成されたものである。
【００５１】
例えば、ユーザは、スマートフォンを使用するにあたって、自宅のＷｉＦｉネットワークのネットワーク名称がＡであると仮定し、自宅でＷｉＦｉネットワークを利用するにあたって、自宅のＷｉＦｉネットワークのセキュリティーレベルを「かなり安全」に設定すれば、スマートフォンは、自宅のＷｉＦｉネットワークのネットワーク名称とその対応するセキュリティーレベルとを、ネットワークとセキュリティーレベルの対応関係として記憶する。
【００５２】
または、ユーザは、友人宅を訪ね、その友人宅でのＷｉＦｉネットワークを利用するにあたって、そのＷｉＦｉネットワークのセキュリティーレベルを「安全」に設定することができ、スマートフォンは、ユーザによる設定により、対応するネットワーク名称とその対応するセキュリティーレベルとを、ネットワークとセキュリティーレベルの対応関係として記憶する。
【００５３】
または、ユーザは、公共の場でＷｉＦｉネットワークに接続するにあたって、スマートフォンが接続した公共の場でのＷｉＦｉネットワークのセキュリティーレベルを「普通」に設定することができ、スマートフォンは、ユーザによる設定により、対応するネットワーク名称とその対応するセキュリティーレベルとをネットワークとセキュリティーレベルの対応関係として記憶する。
【００５４】
または、本発明の実施例において、現在のＷｉＦｉネットワークの対応するセキュリティーレベルを検索した後、予め記憶されたネットワークとセキュリティーレベルの対応関係において現在のＷｉＦｉネットワークの対応するセキュリティーレベルが検索できなかった場合、現在のセキュリティーレベル入力ボックスを表示し、さらに、ユーザにより入力された命令に応じて、現在のＷｉＦｉネットワークを現在のセキュリティーレベルと関連付けて記憶し、ユーザにより入力された命令は、現在のセキュリティーレベルを保有する。
【００５５】
ステップ２０２において、セキュリティーレベルに対応する色に従って、ＷｉＦｉ信号アイコンを標識する。
【００５６】
移動端末での現在のＷｉＦｉネットワークのセキュリティーレベルを確定した後、移動端末に記憶された、セキュリティーレベルと色の対応関係によって対応のセキュリティーレベルの対応する色を確定し、さらに、セキュリティーレベルに対応する色でＷｉＦｉ信号アイコンを標識することができる。
【００５７】
なお、セキュリティーレベルと色の対応関係は、移動端末でデフォルト設定されたものであってもよく、ユーザにより必要に応じて設定されてもよく、すなわち、ユーザは、移動端末を使用する時、必要に応じてセキュリティーレベルと色の対応関係を自由的に設定することができる。
【００５８】
ステップ２０３において、標識されたＷｉＦｉ信号アイコンを展示する。
【００５９】
例えば、移動端末での現在のＷｉＦｉネットワークのセキュリティーレベルが普通であること、及び当該セキュリティーレベルの対応する色が黄色であることが確定された場合、移動端末の最上端に表示されたＷｉＦｉ信号アイコンの色は黄色であり、ユーザは、ＷｉＦｉ信号アイコンの色によって、移動端末が接続しているＷｉＦｉネットワークのセキュリティーレベルが「普通」であることを確定し得る。この際、ユーザは、ＷｉＦｉ信号アイコンの色によって、移動端末が現在接続しているＷｉＦｉネットワークのセキュリティーレベルを知ることができ、移動端末でのプライバシー情報の洩れを避けるように移動端末のセキュリティーレベルによって移動端末に対して関連する操作を行うことができる。例えば、ユーザは、アカウント及びパスワードを入力して支払いを行う過程で、アカウント及びパスワードの洩れを避けるために、先にＷｉＦｉネットワークを切断し、データ通信で支払いを行うことができ、これにより、自分のアカウントの安全を確保する。
【００６０】
ステップ２０４において、現在のＷｉＦｉネットワークよりもセキュリティーレベルの高いＷｉＦｉネットワークが存在するかを監視する。
【００６１】
ステップ２０５において、現在のＷｉＦｉネットワークよりもセキュリティーレベルの高いＷｉＦｉネットワークが存在する場合、移動端末を制御して現在のセキュリティーレベルの最も高いＷｉＦｉネットワークに接続する。
【００６２】
なお、移動端末は、現在のセキュリティーレベルの最も高いＷｉＦｉネットワークに接続された後、現在のセキュリティーレベルの最も高いＷｉＦｉネットワークのセキュリティーレベルによって、その対応する色のＷｉＦｉネットワークアイコンを表示する。
【００６３】
例えば、更新前に移動端末の上端に表示されたＷｉＦｉ信号アイコンの色は白色であり、現在のＷｉＦｉネットワークよりもセキュリティーレベルの高いＷｉＦｉネットワークが存在し且つセキュリティーレベルの最も高いＷｉＦｉネットワークのネットワーク名称がＢであることを仮定し、移動端末によって、ネットワーク名称がＢであるＷｉＦｉネットワークのセキュリティーレベルが３級であることが確定されれば、セキュリティーレベルが３級であることによって、当該セキュリティーレベルの対応するＷｉＦｉ信号アイコンが緑色であることを確定して、移動端末を制御してネットワーク名称がＢであるＷｉＦｉネットワークに自動的に接続し、且つユーザがＷｉＦｉ信号アイコンによって移動端末が接続しているＷｉＦｉネットワークのセキュリティーレベルを確定するように、移動端末のスクリーンの上端に緑色のＷｉＦｉ信号アイコンを表示し、ユーザがセキュリティーレベルによって移動端末に対して関連する操作を行うことを便利にする。
【００６４】
本実施例によって提供された移動端末でのＷｉＦｉ信号アイコンの展示方法は、移動端末が現在のＷｉＦｉネットワークに接続された後、現在のＷｉＦｉネットワークよりもセキュリティーレベルの高いＷｉＦｉネットワークが存在することを監視した場合、移動端末を制御して現在のセキュリティーレベルの最も高いＷｉＦｉネットワークに接続し、これにより、セキュリティーレベルによってＷｉＦｉネットワークのスマートな切り替えを自動的に完了し、切り替えられたＷｉＦｉネットワークのセキュリティーレベルによってその対応する色のＷｉＦｉネットワークアイコンを表示することにより、ユーザがＷｉＦｉネットワークアイコンによって現在接続されているネットワークのセキュリティーレベルを知ることを便利にし、ユーザの体験度を高める。
【００６５】
図３は、例示的な他の実施例に係る移動端末でのＷｉＦｉ信号アイコンの展示方法を示すフローチャートであり、図３に示すように、当該実施例に係る移動端末でのＷｉＦｉ信号アイコンの展示方法は、例えば携帯電話、タブレット、パーソナル・デジタル・アシスタント、電子ブックなど、各種の操作システムを有するハードウェアデバイスといった移動端末に好適に用いられる。当該移動端末でのＷｉＦｉ信号アイコンの展示方法は、下記の通り幾つかのステップを含む。
【００６６】
ステップ３０１において、現在ＷｉＦｉネットワークのセキュリティーレベルを確定する。
【００６７】
移動端末によりＷｉＦｉネットワークへ接続する過程で、移動端末は、現在のＷｉＦｉネットワークに接続される前に、スキャン方式により周囲の接続可能なＷｉＦｉネットワークを取得し、セキュリティーレベルがユーザにより予め設定されたＷｉＦｉネットワークを配列し、セキュリティーレベルがユーザにより設定されてなかったＷｉＦｉネットワークに対して、例えばアルファベット順などの従来のＷｉＦｉネットワークの配列方により配列することができる。
【００６８】
なお、移動端末は、セキュリティーレベルがユーザにより設定されてなかったＷｉＦｉネットワークに対して、その対応するＷｉＦｉネットワークを予め設定されたセキュリティーレベルとし、予め設定されたセキュリティーレベルに対応する色は白色であり、すなわち、セキュリティーレベルがユーザにより設定されてなかったＷｉＦｉネットワークが使用するＷｉＦｉ信号アイコンの色のいずれも白色である。
【００６９】
ここで、ＷｉＦｉネットワークのセキュリティーレベルは、移動端末でデフォルト設定されたものであってもよく、ユーザ本人が必要に応じて設定したものであってもよく、例えばセキュリティーレベルとして、「かなり安全」、「安全」、「普通」などのように設定されてもよく、または、セキュリティーレベル１、セキュリティーレベル２、セキュリティーレベル３、セキュリティーレベル４などのように設定されてもよく、具体的にはアプリケーションシーンに応じて設定されてもよく、これに対して限定しない。
【００７０】
移動端末は、現在のＷｉＦｉネットワークに接続された後、予め記憶された、ネットワークとセキュリティーレベルの対応関係において、現在のＷｉＦｉネットワークの対応するセキュリティーレベルを検索することができる。
【００７１】
なお、予め記憶された、ネットワークとセキュリティーレベルの対応関係は、ユーザが使用するＷｉＦｉネットワークに対して設定したセキュリティーレベルによって生成されたものである。
【００７２】
例えば、ユーザは、スマートフォンを使用するにあたって、自宅のＷｉＦｉネットワークのネットワーク名称がＡであると仮定し、自宅でＷｉＦｉネットワークを利用するにあたって、自宅のＷｉＦｉネットワークのセキュリティーレベルを「かなり安全」に設定すれば、スマートフォンは、自宅のＷｉＦｉネットワークのネットワーク名称とその対応するセキュリティーレベルとをネットワークとセキュリティーレベルの対応関係として記憶する。
【００７３】
または、ユーザは、友人宅を訪ね、その友人宅でのＷｉＦｉネットワークを利用するにあたって、そのＷｉＦｉネットワークのセキュリティーレベルを「安全」に設定することができ、スマートフォンは、ユーザによる設定により、対応するネットワーク名称とその対応するセキュリティーレベルとをネットワークとセキュリティーレベルの対応関係として記憶する。
【００７４】
または、ユーザは、公共の場でＷｉＦｉネットワークに接続するにあたって、スマートフォンが接続した公共の場でのＷｉＦｉネットワークのセキュリティーレベルを「普通」に設定することができ、スマートフォンは、ユーザによる設定により、対応するネットワーク名称とその対応するセキュリティーレベルとをネットワークとセキュリティーレベルの対応関係として記憶する。
【００７５】
または、本発明の実施例において、現在のＷｉＦｉネットワークの対応するセキュリティーレベルを検索した後、予め記憶されたネットワークとセキュリティーレベルの対応関係において現在のＷｉＦｉネットワークの対応するセキュリティーレベルが検索できなかった場合、現在のセキュリティーレベル入力ボックスを表示し、さらに、ユーザにより入力された命令に応じて、現在のＷｉＦｉネットワークを現在のセキュリティーレベルと関連付けて記憶し、ユーザにより入力された命令は、現在のセキュリティーレベルを保有する。
【００７６】
ステップ３０２において、セキュリティーレベルに対応する色に従って、ＷｉＦｉ信号アイコンを標識する。
【００７７】
移動端末での現在のＷｉＦｉネットワークのセキュリティーレベルを確定した後、移動端末に記憶された、セキュリティーレベルと色の対応関係によって対応のセキュリティーレベルの対応する色を確定し、さらに、セキュリティーレベルに対応する色でＷｉＦｉ信号アイコンを標識することができる。
【００７８】
なお、セキュリティーレベルと色の対応関係は、移動端末でデフォルト設定されたものであってもよく、ユーザにより必要に応じて設定されてもよく、すなわち、ユーザは、移動端末を使用する時、必要に応じてセキュリティーレベルと色の対応関係を自由的に設定することができる。
【００７９】
ステップ３０３において、標識されたＷｉＦｉ信号アイコンを展示する。
【００８０】
例えば、移動端末での現在のＷｉＦｉネットワークのセキュリティーレベルが普通であること、及び当該セキュリティーレベルの対応する色が黄色であることが確定された場合、移動端末の最上端に表示されたＷｉＦｉ信号アイコンの色は黄色であり、ユーザは、ＷｉＦｉ信号アイコンの色によって、移動端末が接続しているＷｉＦｉネットワークのセキュリティーレベルが「普通」であることを確定し得る。この際、ユーザは、ＷｉＦｉ信号アイコンの色によって、移動端末が現在接続しているＷｉＦｉネットワークのセキュリティーレベルを知ることができ、移動端末でのプライバシー情報の洩れを避けるように移動端末のセキュリティーレベルによって移動端末に対して関連する操作を行うことができる。例えば、ユーザは、アカウント及びパスワードを入力して支払いを行う過程で、アカウント及びパスワードの洩れを避けるために、先にＷｉＦｉネットワークを切断し、データ通信で支払いを行うことができ、これにより、自分のアカウントの安全を確保する。
【００８１】
ステップ３０４において、現在のＷｉＦｉネットワークよりもセキュリティーレベルの高いＷｉＦｉネットワークが存在するかを監視する。
【００８２】
ステップ３０５において、現在のＷｉＦｉネットワークよりもセキュリティーレベルの高いＷｉＦｉネットワークが存在する場合、現在のセキュリティーレベルの最も高いＷｉＦｉネットワークに接続するかを提示する提示情報を表示する。
【００８３】
ステップ３０６において、ユーザが提示情報に応じて入力した確認命令を受信し、該確認命令により移動端末を制御して現在のセキュリティーレベルの最も高いＷｉＦｉネットワークに接続する。
【００８４】
なお、移動端末は現在のセキュリティーレベルの最も高いＷｉＦｉネットワークに接続された後、現在のセキュリティーレベルの最も高いＷｉＦｉネットワークのセキュリティーレベルによってその対応する色のＷｉＦｉネットワークアイコンを表示することができる。
【００８５】
例えば、更新前に移動端末の上端に表示されたＷｉＦｉ信号アイコンは白色であり、現在のＷｉＦｉネットワークよりもセキュリティーレベルの高いＷｉＦｉネットワークＡが存在することを仮定し、移動端末によって当該ＷｉＦｉネットワークＡのセキュリティーレベルが２級であること、及びセキュリティーレベルが２級であることによって当該セキュリティーレベルの対応するＷｉＦｉ信号アイコンが黄色であることが確定されれば、ネットワークをＷｉＦｉネットワークＡに接続するかを提示する提示情報を表示し、ユーザが提示情報に応じて入力した確認命令を受信した場合、移動端末を制御してＷｉＦｉネットワークＡに接続し、且つユーザがＷｉＦｉ信号アイコンによって移動端末が接続しているＷｉＦｉネットワークのセキュリティーレベルを確定するように移動端末の上端に黄色のＷｉＦｉアイコンを表示し、ユーザがセキュリティーレベルによって移動端末に対して関連する操作を行うことを便利にする。
【００８６】
本実施例により提供された移動端末でのＷｉＦｉ信号アイコンの展示方法は、移動端末が現在のＷｉＦｉネットワークに接続された後、現在のＷｉＦｉネットワークよりもセキュリティーレベルの高いＷｉＦｉネットワークが存在することを監視した場合、セキュリティーレベルの最も高いＷｉＦｉネットワークを確定し、且つ現在のセキュリティーレベルの最も高いＷｉＦｉネットワークへ切り替えるかどうかを提示する提示情報をユーザに与え、ユーザの提示情報に対する確認命令により、移動端末を制御して現在のセキュリティーレベルの最も高いＷｉＦｉネットワークに接続し、現在のセキュリティーレベルの最も高いＷｉＦｉネットワークの色でＷｉＦｉネットワークアイコンを標識することにより、セキュリティーレベルの最も高いＷｉＦｉネットワークをユーザに提供し、且つユーザによる命令に応じてＷｉＦｉネットワークの切り替えを完了し、さらに、切り替えられたＷｉＦｉネットワークのセキュリティーレベルによってその対応する色のＷｉＦｉネットワークを表示し、ユーザがＷｉＦｉネットワークアイコンの色によって現在接続されているネットワークのセキュリティーレベルを知ることを便利にし、ユーザの体験度を高める。
【００８７】
図４は、例示的な他の実施例に係る移動端末でのＷｉＦｉ信号アイコンの展示方法を示すフローチャートであり、図４に示すように、当該実施例に係る移動端末でのＷｉＦｉ信号アイコンの展示方法は、例えば携帯電話、タブレット、パーソナル・デジタル・アシスタント、電子ブックなど、各種の操作システムを有するハードウェアデバイスといった移動端末に好適に用いられる。当該移動端末でのＷｉＦｉ信号アイコンの展示方法は、下記の通り幾つかのステップを含む。
【００８８】
ステップ４０１において、現在ＷｉＦｉネットワークのセキュリティーレベルを確定する。
【００８９】
移動端末によりＷｉＦｉネットワークへ接続する過程で、移動端末は、現在のＷｉＦｉネットワークに接続される前に、スキャン方式により周囲の接続可能なＷｉＦｉネットワークを取得し、セキュリティーレベルがユーザにより予め設定されたＷｉＦｉネットワークを配列し、セキュリティーレベルがユーザにより設定されてなかったＷｉＦｉネットワークに対して、例えばアルファベット順などの従来のＷｉＦｉネットワークの配列方により配列することができる。
【００９０】
なお、移動端末は、セキュリティーレベルがユーザにより設定されてなかったＷｉＦｉネットワークに対して、その対応するＷｉＦｉネットワークを予め設定されたセキュリティーレベルとし、予め設定されたセキュリティーレベルに対応する色は白色であり、すなわち、セキュリティーレベルがユーザにより設定されてなかったＷｉＦｉネットワークが使用するＷｉＦｉ信号アイコンの色のいずれも白色である。
【００９１】
ここで、ＷｉＦｉネットワークのセキュリティーレベルは、移動端末でデフォルト設定されたものであってもよく、ユーザ本人が必要に応じて設定したものであってもよく、例えばセキュリティーレベルとして、「かなり安全」、「安全」、「普通」などのように設定されてもよく、または、セキュリティーレベル１、セキュリティーレベル２、セキュリティーレベル３、セキュリティーレベル４などのように設定されてもよく、具体的にはアプリケーションシーンに応じて設定されてもよく、これに対して限定しない。
【００９２】
移動端末は、現在のＷｉＦｉネットワークに接続された後、予め記憶された、ネットワークとセキュリティーレベルの対応関係において、現在のＷｉＦｉネットワークの対応するセキュリティーレベルを検索することができる。
【００９３】
なお、予め記憶された、ネットワークとセキュリティーレベルの対応関係は、ユーザが使用するＷｉＦｉネットワークに対して設定したセキュリティーレベルによって生成されたものである。
【００９４】
例えば、ユーザは、スマートフォンを使用するにあたって、自宅のＷｉＦｉネットワークのネットワーク名称がＡであると仮定し、自宅でＷｉＦｉネットワークを利用するにあたって、自宅のＷｉＦｉネットワークのセキュリティーレベルを「かなり安全」に設定すれば、スマートフォンは、自宅のＷｉＦｉネットワークのネットワーク名称とその対応するセキュリティーレベルとをネットワークとセキュリティーレベルの対応関係として記憶する。
【００９５】
または、ユーザは、友人宅を訪ね、その友人宅でのＷｉＦｉネットワークを利用するにあたって、そのＷｉＦｉネットワークのセキュリティーレベルを「安全」に設定することができ、スマートフォンは、ユーザによる設定により、対応するネットワーク名称とその対応するセキュリティーレベルとをネットワークとセキュリティーレベルの対応関係として記憶する。
【００９６】
または、ユーザは、公共の場でＷｉＦｉネットワークに接続するにあたって、スマートフォンが接続した公共の場でのＷｉＦｉネットワークのセキュリティーレベルを「普通」に設定することができ、スマートフォンは、ユーザによる設定により、対応するネットワーク名称とその対応するセキュリティーレベルとをネットワークとセキュリティーレベルの対応関係として記憶する。
【００９７】
または、本発明の実施例において、現在のＷｉＦｉネットワークの対応するセキュリティーレベルを検索した後、予め記憶されたネットワークとセキュリティーレベルの対応関係において現在のＷｉＦｉネットワークの対応するセキュリティーレベルが検索できなかった場合、現在のセキュリティーレベル入力ボックスを表示し、さらに、ユーザにより入力された命令に応じて、現在のＷｉＦｉネットワークを現在のセキュリティーレベルと関連付けて記憶し、ユーザにより入力された命令は、現在のセキュリティーレベルを保有する。
【００９８】
ステップ４０２において、セキュリティーレベルに対応する色に従って、ＷｉＦｉ信号アイコンを標識する。
【００９９】
移動端末での現在のＷｉＦｉネットワークのセキュリティーレベルを確定した後、移動端末に記憶された、セキュリティーレベルと色の対応関係によって対応のセキュリティーレベルの対応する色を確定し、さらに、セキュリティーレベルに対応する色でＷｉＦｉ信号アイコンを標識することができる。
【０１００】
なお、セキュリティーレベルと色の対応関係は、移動端末でデフォルト設定されたものであってもよく、ユーザにより必要に応じて設定されてもよく、すなわち、ユーザは、移動端末を使用する時、必要に応じてセキュリティーレベルと色の対応関係を自由的に設定することができる。
【０１０１】
ステップ４０３において、標識されたＷｉＦｉ信号アイコンを展示する。
【０１０２】
例えば、移動端末での現在のＷｉＦｉネットワークのセキュリティーレベルが普通であること、及び当該セキュリティーレベルの対応する色が黄色であることが確定された場合、移動端末の最上端に表示されたＷｉＦｉ信号アイコンの色は黄色であり、ユーザは、ＷｉＦｉ信号アイコンの色によって、移動端末が接続しているＷｉＦｉネットワークのセキュリティーレベルが「普通」であることを確定し得る。この際、ユーザは、ＷｉＦｉ信号アイコンの色によって、移動端末が現在接続しているＷｉＦｉネットワークのセキュリティーレベルを知ることができ、移動端末でのプライバシー情報の洩れを避けるように移動端末のセキュリティーレベルによって移動端末に対して関連する操作を行うことができる。例えば、ユーザは、アカウント及びパスワードを入力して支払いを行う過程で、アカウント及びパスワードの洩れを避けるために、先にＷｉＦｉネットワークを切断し、データ通信で支払いを行うことができ、これにより、自分のアカウントの安全を確保する。
【０１０３】
ステップ４０４において、現在のＷｉＦｉネットワークよりもセキュリティーレベルの高いＷｉＦｉネットワークが存在するかを監視する。
【０１０４】
ステップ４０５において、現在のＷｉＦｉネットワークよりもセキュリティーレベルの高いＷｉＦｉネットワークが存在する場合、さらに、現在のＷｉＦｉネットワークよりもセキュリティーレベルの高いＷｉＦｉネットワークが複数存在するかを判断する。
【０１０５】
ステップ４０６において、現在のＷｉＦｉネットワークよりもセキュリティーレベルの高いＷｉＦｉネットワークが複数存在する場合、セキュリティーレベルの高い順に、現在のＷｉＦｉネットワークよりもセキュリティーレベルの高い複数のＷｉＦｉネットワークを配列する。
【０１０６】
なお、現在のＷｉＦｉネットワークよりもセキュリティーレベルの高いＷｉＦｉネットワークが存在する場合、現在のＷｉＦｉネットワークよりもセキュリティーレベルの高い当該ＷｉＦｉネットワークを更新後の現在のＷｉＦｉネットワークとし、移動端末を制御して更新後の現在のＷｉＦｉネットワークに接続する。
【０１０７】
ステップ４０７において、ユーザにより選択された命令に応じて、移動端末を制御して目標ＷｉＦｉネットワークに接続し、ユーザにより選択された命令は、目標ＷｉＦｉネットワークの標識を保有する。
【０１０８】
なお、移動端末は更新後の目標ＷｉＦｉネットワークに接続された後、更新後の目標ＷｉＦｉネットワークのセキュリティーレベルによって対応する色のＷｉＦｉネットワークアイコンを表示することができる。
【０１０９】
本実施例により提供された移動端末でのＷｉＦｉ信号アイコンの展示方法は、移動端末が現在のＷｉＦｉネットワークに接続された後、現在のＷｉＦｉネットワークよりもセキュリティーレベルの高いＷｉＦｉネットワークが複数存在する場合、セキュリティーレベルの高い順に現在のＷｉＦｉネットワークよりもセキュリティーレベルの高い複数のＷｉＦｉネットワークを配列し、ユーザにより選択された命令により、移動端末を制御して目標ＷｉＦｉネットワークに接続し、ユーザにより選択されたＷｉＦｉネットワークのセキュリティーレベルが対応する色標識を確定し、該色標識でＷｉＦｉ信号アイコンを標識し、移動端末で対応する色のＷｉＦｉ信号アイコンを表示することにより、現在のＷｉＦｉネットワークよりもセキュリティーレベルの高い複数のＷｉＦｉネットワークをユーザに提供し、ユーザによる選択によりＷｉＦｉネットワークの切り替えを完了し、切り替えられたＷｉＦｉネットワークのセキュリティーレベルによってその対応する色のＷｉＦｉネットワークアイコンを表示することにより、ユーザがＷｉＦｉネットワークアイコンの色によって現在接続されているネットワークのセキュリティーレベルを知ることを便利にし、ユーザの体験度を高める。
【０１１０】
前記移動端末でのＷｉＦｉ信号アイコンの展示方法に係る実施例に対応し、本発明は、移動端末でのＷｉＦｉ信号アイコンの展示装置に係る実施例を提供する。
【０１１１】
図５は、例示的な一実施例に係る移動端末中のＷｉＦｉ信号アイコンの展示装置を示すブロック図であり、当該移動端末中のＷｉＦｉ信号アイコンの展示装置は、ソフトウェアもしくはハードウェア、または両者の組み合わせにより実現することができ、図５に示すように、該移動端末中のＷｉＦｉ信号アイコンの展示装置は、
現在のＷｉＦｉネットワークのセキュリティーレベルを確定するように構成される確定モジュール１１０と、
セキュリティーレベルに対応する色に従って、ＷｉＦｉ信号アイコンを標識するように構成される標識モジュール１２０と、
標識されたＷｉＦｉ信号アイコンを展示するように構成される展示モジュール１３０とを備える。
【０１１２】
上述したように、本実施例により提供された移動端末でのＷｉＦｉ信号アイコンの展示装置は、現在のＷｉＦｉネットワークのセキュリティーレベルを確定し、セキュリティーレベルに対応する色でＷｉＦｉ信号アイコンを標識し、標識されたＷｉＦｉ信号アイコンを展示するように構成されるものである。これにより、ＷｉＦｉネットワークのセキュリティーレベルによってその対応する色のＷｉＦｉ信号アイコンを表示し、ユーザがＷｉＦｉネットワークアイコンの色によって現在接続されているネットワークのセキュリティーレベルを知ることを便利にし、さらに、移動端末でのプライバシー情報の漏れを避けるように、ユーザがネットワークのセキュリティーレベルによって移動端末に対して関連する操作を行うことを便利にすることができる。
【０１１３】
図６は、例示的な他の実施例に係る移動端末でのＷｉＦｉ信号アイコンの展示装置を示すブロック図であり、前記図５に示す実施例に基づいた当該実施例において、図６に示すように、確定モジュール１１０は、
予め記憶された、ネットワークとセキュリティーレベルの対応関係において、現在のＷｉＦｉネットワークの対応するセキュリティーレベルを検索するように構成される検索サブモジュール１１１を備えることができる。
【０１１４】
図７は、例示的な他の実施例に係る移動端末でのＷｉＦｉ信号アイコンの展示装置を示すブロック図であり、前記図６に示す実施例に基づいた当該実施例において、前記装置は、さらに、
現在のＷｉＦｉネットワークの対応するセキュリティーレベルが検索できなかった場合、現在のセキュリティーレベルの入力ボックスを展示するように構成される第１の展示モジュール１４０と、
ユーザにより入力された命令に応じて、現在のＷｉＦｉネットワークを現在のセキュリティーレベルと関連付けて記憶するが、前記ユーザにより入力された命令は、現在のセキュリティーレベルを保有するように構成される記憶モジュール１５０とを備えることができる。
【０１１５】
図８は、例示的な他の実施例に係る移動端末でのＷｉＦｉ信号アイコンの展示装置を示すブロック図であり、前記図５に示す実施例に基づいた当該実施例において、前記装置は、図８に示すように、さらに
現在のＷｉＦｉネットワークよりもセキュリティーレベルの高いＷｉＦｉネットワークが存在するかを監視するように構成される監視モジュール１６０と、
現在のＷｉＦｉネットワークよりもセキュリティーレベルの高いＷｉＦｉネットワークが存在する場合、移動端末を制御して現在のセキュリティーレベルの最も高いＷｉＦｉネットワークに接続するように構成される第１の制御モジュール１７０とを備えることができる。
【０１１６】
なお、前記図９に示す装置の実施例における監視モジュール１６０及び第１の制御モジュール１７０の構造は、図６〜図８に示す装置の実施例に含まれてもよく、本発明は、これに対して限定しない。
【０１１７】
図９は、例示的な他の実施例に係る移動端末でのＷｉＦｉ信号アイコンの展示装置を示すブロック図であり、前記図８に示す実施例に基づいた当該実施例において、図９に示すように、前記装置は、さらに、
現在のＷｉＦｉネットワークよりもセキュリティーレベルの高いＷｉＦｉネットワークが複数存在することを監視した場合、セキュリティーレベルの高い順に、現在のＷｉＦｉネットワークよりもセキュリティーレベルの高い複数のＷｉＦｉネットワークを配列するように構成される配列モジュール１８０と、
ユーザにより選択された命令に応じて、移動端末を制御して目標ＷｉＦｉネットワークに接続するが、ユーザにより選択された命令は、前記目標ＷｉＦｉネットワークの標識を保有するように構成される第２の制御モジュール１９０とを備えることができる。
【０１１８】
図１０は、例示的な他の実施例に係る移動端末でのＷｉＦｉ信号アイコンの展示装置を示すブロック図である。前記図８に示す実施例に基づいた当該実施例において、図１０に示すように、前記装置は、さらに、
第１の制御モジュール１７０が移動端末を制御して現在のセキュリティーレベルの最も高いＷｉＦｉネットワークに接続する前に、現在のセキュリティーレベルの最も高いＷｉＦｉネットワークに接続するかを提示する提示情報を表示するように構成される第２の表示モジュール２００を備えることができる。
【０１１９】
上述した実施例における装置については、そのうちの各モジュールが操作を行う具体的な方式は、該方法に関する実施例において既に詳しく説明されたので、ここで省略する。
【０１２０】
装置に係る実施例は、基本的には方法に係る実施例に対応しているので、それに関する部分について、方法に係る実施例の一部の説明を参照すればよい。上述した装置に係る実施例はあくまでも例示的なものに過ぎなく、その中でも、分離部材として説明されたユニットは、物理的に分離されてもよいし、されなくてもよい。ユニットとして表示された部材は、物理的なユニットであってもよいしそうでなくともよく、即ち、一箇所に位置していてもよいし、複数のネットワークユニットに分布していてもよい。実際の需要に応じて、そのうちの一部または全部のモジュールを選択して本発明の目的を実現することができる。当業者は、創造的な労働を経ることなく理解し実施できる。
【０１２１】
相応的に、本発明は、さらに上記の実施例における移動端末でのＷｉＦｉ信号アイコンの展示装置を含む移動端末を提供する。
【０１２２】
上述したように、本実施例により提供された移動端末は、現在のＷｉＦｉネットワークのセキュリティーレベルを確定し、セキュリティーレベルに対応する色でＷｉＦｉ信号アイコンを標識し、標識されたＷｉＦｉ信号アイコンを展示する。これにより、ＷｉＦｉネットワークのセキュリティーレベルによって対応する色のＷｉＦｉ信号アイコンを表示し、且つユーザがＷｉＦｉ信号アイコンの色によって現在接続されているネットワークのセキュリティーレベルを知ることを便利にし、さらに、移動端末でのプライバシー情報の漏れを避けるように、ユーザがネットワークのセキュリティーレベルによって移動端末に対して関連する操作を行うことを便利にする。
【０１２３】
相応的に、本発明は、さらにメモリと、一つ以上のプログラムとを備える端末を提供する。ここで、一つ以上のプログラムがメモリに記憶される。一つ以上のプロセッサにより実行されるように構成される一つ以上のプログラムは、移動端末がロックの解除を待つ状態で、ユーザが端末を把持していることを検出した場合、ユーザが移動端末を把持している把持情報を取得し、この把持情報と予め記憶された把持習慣の情報とが一致するどうかを判断し、当該把持情報が予め記憶された把持習慣の情報と一致すれば、移動端末をアンロックする操作を行うための命令を含む。
【０１２４】
図１１は例示的な実施例に係る移動端末でのＷｉＦｉ信号アイコンの展示装置１１００を示すブロック図であり、例えば、装置１１００は、携帯電話、コンピュータ、デジタルブロードキャスト端末、メッセージ送受信機、ゲーム機、タブレットデバイス、医療機器、フィットネス機器、ＰＤＡ等のものであってもよい。
【０１２５】
図１１を参照すると、装置１１００は、処理ユニット１１０２、メモリ１１０４、電源ユニット１１０６、マルチメディアユニット１１０８、オーディオユニット１１１０、入力/出力（Ｉ/Ｏ）インターフェース１１１２、センサーユニット１１１４、及び通信ユニット１１１６からなる群から選ばれる少なくとも１つを有してもよい。
【０１２６】
処理ユニット１１０２は、一般的には、装置１１００の全体の操作、例えば、表示、電話呼び出し、データ通信、カメラ操作及び記録操作に関連する操作を制御する。処理ユニット１１０２は、上述した方法におけるステップの一部又は全部を実現できるように、命令を実行する少なくとも１つのプロセッサ１１２０を有してもよい。また、処理ユニット１１０２は、他のユニットとのインタラクションの便宜を図るように、少なくとも１つのモジュールを有してもよい。例えば、処理ユニット１１０２は、マルチメディアユニット１１０８とのインタラクションの便宜を図るように、マルチメディアモジュールを有してもよい。
【０１２７】
メモリ１１０４は、装置１１００での操作をサポートするように、各種のデータを記憶するように配置される。これらのデータは、例えば、装置１１００で何れのアプリケーション又は方法を操作するための命令、連絡先データ、電話帳データ、メッセージ、画像、ビデオ等を含む。メモリ１１０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【０１２８】
電源ユニット１１０６は、装置１１００の各種ユニットに電力を供給するためのものであり、電源管理システム、１つ又は複数の電源、及び装置１１００のために電力を生成、管理及び分配することに関連する他のユニットを有してもよい。
【０１２９】
マルチメディアユニット１１０８は、装置１１００とユーザーとの間に出力インターフェースを提供するスクリーンを有してもよい。スクリーンは、例えば、液晶ディスプレイ（ＬＣＤ）やタッチパネル（ＴＰ）を有してもよい。スクリーンは、タッチパネルを有する場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。
【０１３０】
幾つかの実施例では、マルチメディアユニット１１０８は、フロントカメラ及び/又はバックカメラを有してもよい。装置１１００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１３１】
オーディオユニット１１０は、オーディオ信号を出力及び/又は入力するように配置される。例えば、オーディオユニット１１１０は、マイクロフォン（ＭＩＣ）を有してもよい。装置１１００が、例えば、呼び出しモード、記録モード、又は音声認識モードのような操作モードにあるとき、マイクロフォンは、外部のオーディオ信号を受信するように配置される。受信したオーディオ信号は、メモリ１１０４にさらに記憶されてもよいし、通信ユニット１１１６を介して送信されてもよい。幾つかの実施例では、オーディオユニット１１１０は、オーディオ信号を出力するためのスピーカをさらに有してもよい。
【０１３２】
Ｉ/Ｏインターフェース１１１２は、処理ユニット１１０２と外部のインターフェースモジュールとの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１３３】
センサーユニット１１１４は、装置１１００のために各方面の状態を評価する少なくとも１つのセンサーを有してもよい。例えば、センサーユニット１１１４は、装置１１００のオン/オフ状態や、ユニットの相対的な位置を検出することができる。例えば、前記ユニットは、装置１１００のディスプレイ及びキーパッドである。センサーユニット１１１４は、装置１１００又は装置１１００の１つのユニットの位置の変化、ユーザーによる装置１１００への接触の有無、装置１１００の方向又は加速/減速、装置１１００の温度変化などを検出することができる。センサーユニット１１１４は、何れの物理的な接触もない場合に付近の物体を検出するように配置される近接センサーを有してもよい。センサーユニット１１１４は、イメージングアプリケーションに用いるための光センサー、例えば、ＣＭＯＳ又はＣＣＤ画像センサーを有してもよい。幾つかの実施例では、当該センサーユニット１１１４は、加速度センサー、ジャイロスコープセンサー、磁気センサー、圧力センサー又は温度センサーをさらに有してもよい。
【０１３４】
通信ユニット１１１６は、装置１１００と他の設備の間との無線又は有線通信の便宜を図るように配置される。装置１１００は、例えば、ＷｉＦｉ、２Ｇ又は３Ｇ、又はそれらの組み合わせの通信標準に基づく無線ネットワークにアクセスできる。１つの例示的な実施例では、通信ユニット１１１６は、ブロードキャストチャンネルを介して外部のブロードキャスト管理システムからのブロードキャスト信号又はブロードキャストに関する情報を受信する。１つの例示的な実施例では、前記通信ユニット１１１６は、近距離通信を促進するために近距離無線通信（ＮＦＣ）モジュールをさらに有してもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【０１３５】
例示的な実施例では、装置１１００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ ＰｒｏｃｅｓｓｉｎｇＤｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【０１３６】
例示的な実施例では、命令を有する非一時的コンピュータ読み取り可能な記録媒体、例えば、命令を有するメモリ１１０４をさらに提供する。この命令は、装置１１００のプロセッサー１１２０により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１３７】
非一時的コンピュータ読み取り可能な記録媒体は、前記記録媒体における命令が端末のプロセッサーにより実行されると、移動端末が移動端末でのＷｉＦｉ信号アイコンの展示方法を実行するようにする。前記方法は、
現在のＷｉＦｉネットワークのセキュリティーレベルを確定することと、
セキュリティーレベルに対応する色によってＷｉＦｉ信号アイコンを標識することと、
標識されたＷｉＦｉ信号アイコンを展示することとを含む。
【０１３８】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、例示的なものにすぎず、本発明の真の範囲と主旨は、以下の特許請求の範囲によって示される。
【０１３９】
本発明は、上記で記述され、図面で図示した特定の構成に限定されず、その範囲を逸脱しない範囲で、様々な修正や変更を行うことができる。本発明の範囲は、添付される特許請求の範囲のみにより限定される。
【図１】
0006496805.tif 000002
【図２】
0006496805.tif 000003
【図３】
0006496805.tif 000004
【図４】
0006496805.tif 000005
【図５】
0006496805.tif 000006
【図６】
0006496805.tif 000007
【図７】
0006496805.tif 000008
【図８】
0006496805.tif 000009
【図９】
0006496805.tif 000010
【図１０】
0006496805.tif 000011
【図１１】
0006496805.tif 000012